(57)【要約】【課題】  通常の使用には安全であって、いざというときには刃部を露出できるアクセサリーピンを提供する。【解決手段】  頭部と脚部とを有するアクセサリーピンにおいて、脚部の外縁に刃部を形成するとともに、この刃部を、爪で剥がせる程度の被着力を有するコーティング材で覆ったことを特徴とする防犯機能を有するアクセサリーピン。【選択図】  図１
2005160655.tif 000002
【特許請求の範囲】
【請求項１】
頭部と脚部とを有するアクセサリーピンにおいて、脚部の外縁に刃部を形成するとともに、この刃部を、爪で剥がせる程度の被着力を有するコーティング材で覆ったことを特徴とする防犯機能を有するアクセサリーピン。
【請求項２】
刃部が鋸刃及び／又は直刃である請求項１の防犯機能を有するアクセサリーピン。
【請求項３】
頭部及び脚部が蛍光塗料で塗装がしてある請求項１又は２の防犯機能を有するアクセサリーピン。
【発明の詳細な説明】
【技術分野】
【０００１】
本発明は、誘拐等からの脱出の一助となる防犯機能を有するアクセサリーピンに関するものである。
【背景技術】
【０００２】
最近、子供、特に幼女や少女（以下、少女等という）が連れ去られたり、また、連れ去られそうになった事件が相次いでいる。このため、少女等に防犯ブザーやスタンガンあるいは携帯電話を持たせたりしているが、これらは、重くて嵩張ることから、常に携行するわけにはいかない。また、その操作も時間がかかる上に比較的難しく、いざというときに役に立たないことが多い。さらに、犯人に取り上げられてしまうと、まったく用をなさない。
【発明の開示】
【発明が解決しようとする課題】
【０００３】
本発明は、少女等が常に身に付けているアクセサリーピンに防犯機能を持たせたものである。すなわち、このアクセサリーピンに本来の使用では危険が及ばないような刃部を形成し、仮に、縛られたりしたときには、ロープや紐が切断できるようにしたものである。また、つかまえられようとしたときには、犯人に対して何らかの危害が加えられるようにしたものである。
【課題を解決するための手段】
【０００４】
以上の課題の下、本発明は、請求項１に記載した、頭部と脚部とを有するアクセサリーピンにおいて、脚部の外縁に刃部を形成するとともに、この刃部を、爪で剥がせる程度の被着力を有するコーティング材で覆ったことを特徴とする防犯機能を有するアクセサリーピンを提供したものである。
【発明の効果】
【０００５】
本発明にかかるアクセサリーピンによると、その脚部の外縁には刃部が形成されているものの、この刃部は、コーティング材で覆ってあるから、通常に使用するときには、身体を傷付けたりしない。そして、誘拐されたりして、仮に、縛られたような場合は、このコーティング材を剥がして刃部を露出させることで、そのロープや紐を切断することができる。
【０００６】
また、犯罪の目的でつかまえられようとしたときには、これで相手方に切り付けると、その衣服や身体に何らかのダメージが加えられる。このときのコーティング材の剥がしは、爪で容易にできるので、目立たないように、しかも迅速にできる。
【発明を実施するための最良の形態】
【０００７】
図１はアクセサリーピンとしてのワンポイントヘアーピンの一例を示す平面図、図２は縦断面図であるが、このアクセサリーピン（以下、ピンという）Ｐは、頭部１とこれに連続する脚部２を有していることが必要で、この場合の頭部１は、アクセサリーとしての機能を生ずるもので、種々のデザインのものがある。一方、脚部２は、これを頭髪や衣服に止め付ける機能を有するもので、本例でいえば、二本の外側脚２ａとその間に設けられる内側脚２ｂを有している。この場合の内側脚２ｂは、反頭部１側の先端は解放されており、ここを動かせば、外側脚２ａに対して接離する。
【０００８】
図５はピンを頭髪にセットした場合の頭部の側面図であるが、これらピンＰは、弾性のある金属材で構成されており、内側脚２ｂを外側脚２ａに対して開かせてこの間に頭髪や衣服を通して止め付ける。また、内側脚２ｂの先端はやや尖って形成されており、これを衣服に通して止め付けることもできる。この状態になっときには、頭部１と外側脚２ａとが表面に出てアクセサリーとしての機能を奏する。この点で、これらは、明るい原色の色が施されるのが好ましく、本発明では、蛍光塗料等を塗って光に反射できるようにしておくのが適する。
【０００９】
本発明では、ピンＰの脚部２の外縁、すなわち、本例では、外側脚２ａの外縁に刃部３を形成するのである。この刃部３の形成場所やその態様は問わないが、例えば、外側脚２ａの中央付近に鋸刃３ａを形成するものが考えられる。鋸刃３ａにすると、ロープや紐の切断性が高まるからである。もちろん、直刃３ｂであってもよく、この場合、鋸刃３ａと直刃３ｂを連続して形成することも可能である。また、刃部３を形成するのは、外側脚２ａの一方だけでもよいし、両方であってもよい。
【００１０】
刃部３は、通常はコーティング材４で覆っておく。このコーティング材４の材質も問わないが、一般には、薄い樹脂フィルムを貼着しておく。この場合、コーティング材４は、その端を爪で擦り付けて剥がすようにすると、容易に剥がれるものであり、これが可能な被着力や厚さにしておく。緊急のときには、この操作が容易にできて刃部３が露出できる必要があるからである。なお、このコーティング材４は、透明であるのが目立たないし、ピン本来のアクセサリー性を阻害しないから好ましい。
【００１１】
図４は、このピンＰをカッターやナイフとして使用するときの説明図であるが、このように、頭部１を手（親指と人指し指）で握り、その脚部２を鋸やナイフのようにして使用する。このときの頭部１の存在は、ここを手で持つ恰好の被把持体となる。
【００１２】
次に、以上のピンＰを防犯器具として使用する場合について説明する。このピンＰは、通常は、ヘアーピンやブローチとして頭髪や衣服に付けておく。衣服に付ける場合は、アクセサリー性を主張するときには、目立つ個所に付けるが、防犯を主目的とする場合は、目立たないところ、例えば、衣服の裏や背中側あるいはポケットの廻りや脚部といったところが考えられるし、靴に付けておいてもよい。
【００１３】
そして、運悪くして、拉致や暴行に遇ったときには、ピンＰを取り出して刃部３を覆っているコーティング材４を爪で引っ掻いて剥がし、頭部１を持って振り回せば、脚部２に形成された刃部３が犯人の身体や衣服を傷付けて犯人をたじろがらせることができる。この場合、コーティング材４の剥がしが間に合わなかったとしても、コーティング材４は、薄いから、傷付ける能力はそれほど落ちない。なお、これらのピンＰは、本来的にはアクセサリー（装飾）であるから、犯人も、ピンＰにこのような機能が付されているとは気付かないから、取り上げられることもない。
【００１４】
さらに、不幸にしてロープ等で縛られて監禁や拘束されたときには、犯人の隙をみて刃部３でこれを切断することができる。また、連れ去られの途中でこれを落として行くこともでき、探索の手掛かりとすることもできる。この場合、ピンＰを蛍光塗料で塗装しておくと、夜間でも光に反射するものとなって、その機能が低下がしない。ピンＰは小さなものであるから、このようなときに備えて、このピンＰを複数所持しておくことも可能である。この他、小物としてのナイフやカッターとしての利用もできる。
【００１５】
ところで、以上は、アクセサリーピンとしてヘアーピンを例に挙げたものであるが、本発明は、これに限らない。アクセサリーとして身に付けるものであれば、ブローチ等何であってもよい。ただし、刃部を形成することから、ある程度長い脚部を有するものが好ましいし、手でしっかり持てるということから、頭部があった方が好ましい。
【図面の簡単な説明】
【００１６】
【図１】本発明の一例を示すアクセサリーピンの要部の拡大平面図である。
【図２】本発明の一例を示すアクセサリーピンの平面図である。
【図３】本発明の一例を示すアクセサリーピンの縦断面図である。
【図４】本発明の一例を示すアクセサリーピンを防犯器具として使用する場合の説明図である。
【図５】アクセサリーピンのアクセサリーとしての使用方法を示す説明図である。
【符号の説明】
【００１７】
Ｐ    アクセサリーピン
１    頭部
２    脚部
２ａ  外側脚
２ｂ  内側脚
３    刃部
３ａ  鋸刃
３ｂ  直刃
４    コーティング材
【図１】
2005160655.tif 000003
【図２】
2005160655.tif 000004
【図３】
2005160655.tif 000005
【図４】
2005160655.tif 000006
【図５】
2005160655.tif 000007